(57)【要約】【課題】  支障なく可動演出装置に複数の電気的駆動源を取り付けることができ、表示部の表示内容に合わせて可動演出部材を複雑に動かすことができる遊技機を提供する。【解決手段】  可動演出装置は、取付ベース部材と、該取付ベース部材の前方に配置された可動演出ユニット４２と、取付ベース部材の裏側に配置された演出ユニット駆動モータと、演出ユニット駆動モータと可動演出ユニット４２とを接続する駆動力伝達部材とを備え、可動演出ユニット４２は、駆動力伝達部材の一端を接続した駆動ベース部材６２と、該駆動ベース部材６２に支持された可動演出部材６３と、駆動ベース部材６２に設けられ、可動演出部材６３を演出ユニット駆動モータの駆動力による揺動とは異なる方向へ揺動させる演出部材駆動ソレノイド６４とを備えた。【選択図】  図６
2006314658.tif 000002
【特許請求の範囲】
【請求項１】
遊技領域が形成された遊技盤に表示状態が変化可能な変動表示装置を配設した遊技機において、
前記変動表示装置は、前面が開口する凹室形状の包囲枠と、該包囲枠の奥側に設けられた表示部と、該表示部の近傍に配置され、前記表示部の表示状態に関連して演出動作可能な可動演出装置と、を備え、
該可動演出装置は、
前記包囲枠に取り付けられた取付ベース部材と、
該取付ベース部材の前方に配置された可動演出ユニットと、
前記取付ベース部材の裏側に配置された第１電気的駆動源と、
該第１電気的駆動源と前記可動演出ユニットとを接続し、第１電気的駆動源からの駆動力を伝達して可動演出ユニットを揺動可能な駆動力伝達部材と、を備え、
前記可動演出ユニットは、
前記駆動力伝達部材の一端を接続した駆動ベース部材と、
該駆動ベース部材に支持された可動演出部材と、
前記駆動ベース部材に設けられ、可動演出部材を第１電気的駆動源の駆動力による揺動とは異なる方向へ揺動させる第２電気的駆動源と、
を備えたことを特徴とする遊技機。
【請求項２】
前記取付ベース部材と駆動ベース部材とを接続し、第１電気的駆動源からの駆動力により揺動する可動演出ユニットの姿勢を規制する駆動補助部材を備えたことを特徴とする請求項１に記載の遊技機。
【請求項３】
前記可動演出ユニットは、可動演出部材の裏側を凹ませて収納空間部を形成し、該収納空間部に駆動ベース部材および第２電気的駆動源を収納したことを特徴とする請求項１または請求項２に記載の遊技機。
【請求項４】
前記可動演出部材の近傍に可動演出部材が係合可能な補助可動演出部材を備え、
該補助可動演出部材は、揺動している可動演出部材が係合すると、当該補助可動演出部材の姿勢を変換できるように構成されたことを特徴とする請求項１から請求項３のいずれかに記載の遊技機。
【発明の詳細な説明】
【技術分野】
【０００１】
本発明は、表示状態が変化可能な変動表示装置を配設したパチンコ遊技機等の遊技機に関する。
【背景技術】
【０００２】
従来の遊技機、例えば、パチンコ遊技機においては、遊技領域が形成される遊技盤に表示状態が変化可能な変動表示装置を配設したタイプのものがある。変動表示装置は、枠状の前面構成部材（所謂センターケース）に開設した表示開口部から装飾演出画像が表示される表示装置本体（例えば液晶表示装置）の表示部を臨ませて構成されている。
また、変動表示装置の前面構成部材内に可動演出部材を備え、表示部の表示内容に合わせて可動演出部材を動かして、遊技を演出する遊技機が提案されている（例えば、特許文献１参照）。
【特許文献１】特開２００４−１０５５１３号公報
【発明の開示】
【発明が解決しようとする課題】
【０００３】
ところで、近年では、表示装置本体の表示部を大型化して、表示部の表示内容（表示画像）による遊技演出を一層迫力あるものにしようとする傾向にある。しかしながら、上記特許文献１に記載の変動表示装置において表示部を大型化すると、可動演出部材や該可動演出部材の駆動系（電気的駆動源や駆動伝達機構など）の配置スペースが狭くなってしまう。したがって、可動演出部材およびその駆動系の構成を簡素にせざるを得ず、このため、可動演出部材を複雑に動作させることができない。この結果、表示部における様々な表示内容に合わせて可動演出部材の動きを複雑に動かすことができず、却って遊技の演出効果を減衰させてしまう虞がある。
【０００４】
そこで、本発明は、上記の事情に鑑みてなされたものであり、その目的は、支障なく可動演出装置に複数の電気的駆動源を取り付けることができ、表示部の表示内容に合わせて可動演出部材を複雑に動かすことができる遊技機を提供しようとするものである。
【課題を解決するための手段】
【０００５】
本発明は、上記目的を達成するために提案されたものであり、請求項１に記載のものは、遊技領域が形成された遊技盤に表示状態が変化可能な変動表示装置を配設した遊技機において、
前記変動表示装置は、前面が開口する凹室形状の包囲枠と、該包囲枠の奥側に設けられた表示部と、該表示部の近傍に配置され、前記表示部の表示状態に関連して演出動作可能な可動演出装置と、を備え、
該可動演出装置は、
前記包囲枠に取り付けられた取付ベース部材と、
該取付ベース部材の前方に配置された可動演出ユニットと、
前記取付ベース部材の裏側に配置された第１電気的駆動源と、
該第１電気的駆動源と前記可動演出ユニットとを接続し、第１電気的駆動源からの駆動力を伝達して可動演出ユニットを揺動可能な駆動力伝達部材と、を備え、
前記可動演出ユニットは、
前記駆動力伝達部材の一端を接続した駆動ベース部材と、
該駆動ベース部材に支持された可動演出部材と、
前記駆動ベース部材に設けられ、可動演出部材を第１電気的駆動源の駆動力による揺動とは異なる方向へ揺動させる第２電気的駆動源と、
を備えたことを特徴とする遊技機である。
【０００６】
請求項２に記載のものは、前記取付ベース部材と駆動ベース部材とを接続し、第１電気的駆動源からの駆動力により揺動する可動演出ユニットの姿勢を規制する駆動補助部材を備えたことを特徴とする請求項１に記載の遊技機である。
【０００７】
請求項３に記載のものは、前記可動演出ユニットは、可動演出部材の裏側を凹ませて収納空間部を形成し、該収納空間部に駆動ベース部材および第２電気的駆動源を収納したことを特徴とする請求項１または請求項２に記載の遊技機である。
【０００８】
請求項４に記載のものは、前記可動演出部材の近傍に可動演出部材が係合可能な補助可動演出部材を備え、
該補助可動演出部材は、揺動している可動演出部材が係合すると、当該補助可動演出部材の姿勢を変換できるように構成されたことを特徴とする請求項１から請求項３のいずれかに記載の遊技機である。
【発明の効果】
【０００９】
本発明によれば、以下のような優れた効果を奏する。
請求項１に記載の発明によれば、変動表示装置は、前面が開口する凹室形状の包囲枠と、該包囲枠の奥側に設けられた表示部と、該表示部の近傍に配置され、表示部の表示状態に関連して演出動作可能な可動演出装置とを備え、該可動演出装置は、包囲枠に取り付けられた取付ベース部材と、該取付ベース部材の前方に配置された可動演出ユニットと、取付ベース部材の裏側に配置された第１電気的駆動源と、該第１電気的駆動源と可動演出ユニットとを接続し、第１電気的駆動源からの駆動力を伝達して可動演出ユニットを揺動可能な駆動力伝達部材とを備え、可動演出ユニットは、駆動力伝達部材の一端を接続した駆動ベース部材と、該駆動ベース部材に支持された可動演出部材と、駆動ベース部材に設けられ、可動演出部材を第１電気的駆動源の駆動力による揺動とは異なる方向へ揺動させる第２電気的駆動源とを備えたので、支障なく可動演出装置に複数の電気的駆動源を取り付けることができる。したがって、表示部における様々な表示内容に合わせて可動演出部材を複雑に動かすことができる。このことから、遊技の演出効果を高めることができ、遊技の興趣の向上を図ることができる。また、電気的駆動源の配置の自由度を増すことができ、限られた遊技機内のスペースを有効利用することができる。
【００１０】
請求項２に記載の発明によれば、取付ベース部材と駆動ベース部材とを接続し、第１電気的駆動源からの駆動力により揺動する可動演出ユニットの姿勢を規制する駆動補助部材を備えたので、可動演出ユニットの一部を遊技者に向けた状態を維持しながら可動演出ユニットを揺動させようとすることができ、遊技の演出効果が低減する不都合を抑えることができる。また、別個に電気的駆動源を設ける必要がなく、簡単な構成で可動演出ユニットの姿勢を規制できる可動演出装置を実現することができる。
【００１１】
請求項３に記載の発明によれば、可動演出ユニットは、可動演出部材の裏側を凹ませて収納空間部を形成し、該収納空間部に駆動ベース部材および第２電気的駆動源を収納したので、駆動ベース部材および第２電気的駆動源を遊技者から見えないように隠すことができ、可動演出装置の装飾性が損なわれる不具合を抑えることができる。また、変動表示装置内の限られた空間を有効利用することができ、変動表示装置の設計の自由度を増すことができる。
【００１２】
請求項４に記載の発明によれば、可動演出部材の近傍に可動演出部材が係合可能な補助可動演出部材を備え、該補助可動演出部材は、揺動している可動演出部材が係合すると、当該補助可動演出部材の姿勢を変換できるように構成したので、可動演出部材の動きに合わせて補助可動演出部材による装飾演出を行うことができ、遊技の演出効果を一層高めることができる。したがって、遊技の興趣を一層向上させることができる。また、補助可動演出部材を駆動するための電気的駆動源を設ける必要がなく、可動演出装置の構造が複雑になることを抑えることができ、製造コストが嵩張る不都合を抑制することができる。
【発明を実施するための最良の形態】
【００１３】
以下、代表的な遊技機であるパチンコ遊技機を例に挙げて本発明の実施の最良の形態を図面に基づき説明する。図１はパチンコ遊技機の遊技盤１の正面図である。
【００１４】
パチンコ遊技機の遊技盤１は、図１に示すように、表面にガイドレール２やサイドケース３等の区画部材により区画された遊技領域４を形成し、該遊技領域４内の略中央に変動表示装置５を配設し、該変動表示装置５の下方には始動入賞口６を配置し、変動表示装置５の側方（左側方）には普図始動ゲート７を配置し、変動表示装置５の左下方および右下方には、発光により各種の装飾表示を行う円弧状のサイドランプ８を配置し、該サイドランプ８の中間部分に一般入賞口９を備えている。また、始動入賞口６の下方には大入賞口１０を配置し、該大入賞口１０の側方に普図変動表示器１１および特図変動表示器１２を配置している。さらに、始動入賞口６、普図始動ゲート７、大入賞口１０や変動表示装置５等の取付部分を除いた遊技領域４内に障害釘（図示せず）を植設してある。そして、遊技盤１は、この他に、遊技球の流下方向を変える風車（図示せず）、及び入賞せずに流下した遊技球を回収するアウト口１３を設けている。
【００１５】
なお、大入賞口１０の右側方に配置された普図変動表示器１１は、普図始動ゲート７への入賞（通過）を契機として普図変動表示ゲーム（補助遊技）を行う表示器である。この普図変動表示器１１は、上下に並んだ矩形状の当たり表示ランプ１５およびハズレ表示ランプ１６を備え、普図変動表示ゲーム時に、当たり表示ランプ１５、またはハズレ表示ランプ１６のいずれかを選択点灯して普通図柄（普図）を表示するように構成されている。そして、当たり表示ランプ１５が点灯して普図変動表示ゲームの結果態様が「当たり」になった場合に、始動入賞口６の変換部材１７が開いて、遊技球が始動入賞口６へ入賞し易い状態に変換する。さらに、普図変動表示器１１の左右両側には、ＬＥＤ等の点状発光体により形成された普図始動記憶表示部１８を配置し、遊技球が普図始動ゲート７を通過したが未処理となっている普図変動表示ゲームの回数を所定数（例えば４個）まで表示できるように構成されている。
【００１６】
また、大入賞口１０の左側方に配置された特図変動表示器１２は、始動入賞口６への入賞を契機として特図変動表示ゲーム（特別遊技）を行う表示器である。この特図変動表示器１２は、７セグＬＥＤにより数字、記号等の特別図柄（特図）を変動表示するように構成されている。そして、特図変動表示ゲームの表示態様が予め定めた特別の結果態様（大当たり）になったときには、大入賞口１０を所定時間および所定回数だけ開放して、遊技球が大入賞口１０に入賞し易い状態に変換する。さらに、特図変動表示器１２の左右両側には、ＬＥＤ等の点状発光体により形成された特図始動記憶表示部１９を配置し、遊技球が始動入賞口６に入賞したが未処理となっている特図変動表示ゲームの回数を所定数（例えば４個）まで表示できるように構成されている。
【００１７】
次に、変動表示装置５について説明する。
変動表示装置５は、図２に示すように、特図変動表示ゲームや普図変動表示ゲーム等の遊技の進行に合わせて表示内容を変動表示可能な表示装置本体（例えば液晶表示装置）２３と、該表示装置本体２３の前方に配置される枠状の前面構成部材（センターケース）２４とを備えて構成されている。
【００１８】
前面構成部材２４は、前面が開口する凹室形状の包囲枠２６と、該包囲枠２６の前面開口縁に配置され、遊技盤１の表面に取り付けられる枠状の取付基部２７とを備え、該取付基部２７の上部に左右全幅に亘って庇状の鎧部２８を前方に突設し、該鎧部２８の左右端部から下方へ縦長な側辺部２９を延設している。また、包囲枠２６の奥側（後側）には矩形状の大きな表示開口部３０を開設し、該表示開口部３０に表示装置本体２３の大型表示部３１（例えば、遊技領域４の幅の半分以上の幅寸法を有する表示部３１）を臨ませて設けている。さらに、包囲枠２６の内側底部には、遊技球が転動可能なステージ３３を前後に分けて横長に形成し、包囲枠２６の左側部には、取付基部２７の側部に入口を開設するとともにステージ３３の左側方に出口を開設したワープ流路３４を設け、該ワープ流路３４を介して遊技球を遊技領域４からステージ３３上へ導入できるように構成されている。また、包囲枠２６の右側部には、装飾ランプ３５を外方（右側方）へ膨出した状態で形成している。
【００１９】
そして、変動表示装置５は、表示装置本体２３の表示部３１の近傍、詳しくは表示部３１の上方に横長な可動演出装置４０を備えている。この可動演出装置４０は、表示部３１内の装飾演出画像等の表示内容に合わせて遊技の演出を行う装置であり、図３および図４に示すように、包囲枠２６の内側上部に取り付けられる横長な取付ベース部材４１と、該取付ベース部材４１の前方に横並びの状態で配置された複数（本実施形態では２つ）の可動演出ユニット４２と、取付ベース部材４１の裏側に配置された複数（本実施形態では２つ）の演出ユニット駆動モータ４３（本発明における第１電気的駆動源に相当）と、演出ユニット駆動モータ４３と可動演出ユニット４２とを接続し、可動演出ユニット４２を上下方向へ揺動可能な駆動力伝達部材４４と、取付ベース部材４１と可動演出ユニット４２とを接続する駆動補助部材４５とを備えている。
【００２０】
取付ベース部材４１は、無色透明な前側プレート４７と有色透明な後側プレート４８との間に、メッキ処理された中間プレート４９を挟んで形成されている。また、中間プレート４９に複数の透光孔５０を開設し、後側プレート４８の後部にＬＥＤ等の発光源を実装した発光基板（図示せず）を配置し、発光源からの光を後側プレート４８、透光孔５０、前側プレート４７を通して前方へ照射できるように構成されている。
【００２１】
駆動力伝達部材４４は、略へ字状に形成された腕部材であり、一端（図４中左端）を可動演出ユニット４２の中央部分に回動自在な状態で軸着するとともに、他端（図４中右端）を取付ベース部材４１の下縁部近傍に設けられた下側軸着部５２に回動自在な状態で軸着している。また、他端から扇状の伝達ギア５３を後方へ突設して取付ベース部材４１の開口部５４に挿通し、この挿通状態の伝達ギア５３に演出ユニット駆動モータ４３の出力軸に接続された駆動ギア５５を噛合している（図７参照）。なお、演出ユニット駆動モータ４３の回動駆動力による可動演出ユニット４２の挙動については、後で詳細に説明する。
【００２２】
駆動補助部材４５は、駆動力伝達部材４４の上方に配置された平板状の腕部材であり、一端（図中左端）を可動演出ユニット４２のうち駆動力伝達部材４４の軸着箇所よりも上方に回動自在な状態で軸着するとともに、他端（図中右端）を取付ベース部材４１の下側軸着部５２よりも上方、具体的には取付ベース部材４１の上縁部の近傍に設けられた上側軸着部５６に回動自在な状態で軸着している。
【００２３】
また、可動演出装置４０は、演出ユニット駆動モータ４３の出力軸から外方へ位置検出用突起５８を突設し、この位置検出用突起５８を取付ベース部材４１の裏側に配置した位置検出センサ５９により検出することで可動演出ユニット４２の揺動位置、具体的には可動演出ユニット４２が上死点に達したことを把握できるように構成されている。
【００２４】
次に、可動演出ユニット４２について説明する。
可動演出ユニット４２は、図５および図６に示すように、駆動力伝達部材４４の一端および駆動補助部材４５の一端を接続した駆動ベース部材６２と、該駆動ベース部材６２に支持された可動演出部材６３と、駆動ベース部材６２に設けられた演出部材駆動ソレノイド６４（本発明における第２電気的駆動源に相当）を備えている。なお、本実施形態では、右側の可動演出ユニット４２は、その上部を右側へ僅かに傾けた状態で配置され、左側の可動演出ユニット４２は、その上部を左側へ僅かに傾けた状態で配置されている（図１参照）。
【００２５】
駆動ベース部材６２は、可動演出部材６３よりもひと回り小さな略矩形板状の部材であり、裏面の中央部分に伝達部材軸着部６７を設けて駆動力伝達部材４４の一端を軸着し、裏面の上縁部に補助部材軸着部６８を設けて駆動補助部材４５の一端を駆動力伝達部材４４の一端から離した状態で軸着している。また、駆動ベース部材６２の前面には、演出部材駆動ソレノイド６４をプランジャ６４ａが下方に向く状態で配置し、プランジャ６４ａの先端に横方向へ延出した係合部材７０を備えている。さらに、プランジャ６４ａをスプリング等の付勢部材６４ｂにより伸長方向に付勢して、演出部材駆動ソレノイド６４が消磁した常態においてはプランジャ６４ａが伸長した状態を維持し、励磁するとプランジャ６４ａが収縮して係合部材７０が上方へ移動するように構成されている。なお、係合部材７０の中間部分には、係合部材７０の上下動をガイドする縦長なスライドガイド７１を備え、該スライドガイド７１を駆動ベース部材６２の前面に形成されたガイド溝（図示せず）に摺動可能な状態で嵌合し、係合部材７０が安定して上下動できるように構成されている。
【００２６】
可動演出部材６３は、人の頭を模した形状の装飾部材であり、当該可動演出部材６３の裏側を凹ませて収納空間部７３を形成し、該収納空間部７３に駆動ベース部材６２および演出部材駆動ソレノイド６４を収納している。また、収納空間部７３内のうち駆動ベース部材６２の前方には、平板状の演出部材基部７４を設け、該演出部材基部７４の裏側から回動軸７５を後方の駆動ベース部材６２へ向けて延出し、回動軸７５の先端を駆動ベース部材６２に開設された軸受孔７６へ回動自在な状態で軸着している。したがって、可動演出部材６３は、回動軸７５の周りに回動自在な状態で駆動ベース部材６２に支持される。さらに、演出部材基部７４のうち回動軸７５からずれた位置、詳しくは回動軸７５を挟んで演出部材駆動ソレノイド６４とは反対の位置には、後方へ向けて延出する係合軸７７を設け、該係合軸７７に演出部材駆動ソレノイド６４の係合部材７０の延出端を係合している。
なお、駆動ベース部材６２には、係合軸７７の先端と対向する箇所に係合軸７７の太さよりも十分に大きな貫通孔７８を開設し、駆動ベース部材６２と係合軸７７とが干渉することを防ぐように構成されている。
【００２７】
このような構成を備えた可動演出装置４０は、演出ユニット駆動モータ４３を駆動して駆動ギア５５を下方へ回動すると、この回動力（駆動力）が伝達ギア５３を介して駆動力伝達部材４４に伝達する。そして、駆動力伝達部材４４が下側軸着部５２を中心にして上方へ回動し、駆動力伝達部材４４の先端に軸着された可動演出ユニット４２、すなわち可動演出部材６３が上方へ揺動する（図７（ａ）参照）。このとき、駆動補助部材４５は、可動演出ユニット４２の上部が取付ベース部材４１に近づくことを抑え、可動演出部材６３の前面部（人の顔を模した形状の部分）が上を向かないように可動演出ユニット４２の姿勢を規制する。姿勢を規制された可動演出ユニット４２は、駆動ベース部材６２の伝達部材軸着部６７（すなわち駆動ベース部材６２の裏面の中央部分）を補助部材軸着部６８（すなわち裏面の上縁部）よりも取付ベース部材４１へ近づけて、可動演出部材６３をその下部（顎を模した形状の部分）が後方へ退いた状態に配置する。
【００２８】
そして、演出ユニット駆動モータ４３を駆動して駆動ギア５５を上方へ回動すると、この回動力が伝達ギア５３を介して駆動力伝達部材４４へ伝達して、駆動力伝達部材４４が取付ベース部材４１の下側軸着部５２を中心にして下方へ回動し、駆動力伝達部材４４の先端に軸着された可動演出ユニット４２、すなわち可動演出部材６３が下方へ揺動する（図７（ｂ）参照）。このとき、駆動補助部材４５は、可動演出ユニット４２の上部が取付ベース部材４１から遠ざかることを抑え、可動演出部材６３の前面部が下を向かないように可動演出ユニット４２の姿勢を規制する。姿勢を規制された可動演出ユニット４２は、駆動ベース部材６２の伝達部材軸着部６７と取付ベース部材４１との間隔を、補助部材軸着部６８と取付ベース部材４１との間隔と略同じ距離に設定し、可動演出部材６３をその前面部（顔部分）が略正面を向いた状態に配置する。
【００２９】
また、演出部材駆動ソレノイド６４を励磁すると、係合部材７０がプランジャ６４ａとともに上方へ移動し、係合軸７７が押し上げられる。すると、可動演出部材６３が演出部材基部７４とともに回動軸７５を中心にして回動して、常態よりも左右方向へ傾いた状態に変換する（図６（ｂ）参照）。また、演出部材駆動ソレノイド６４を消磁すると、付勢部材６４ｂによりプランジャ６４ａが伸長して係合部材７０が下方へ移動し、係合軸７７が引き下げられ、可動演出部材６３が元の状態（僅かに傾いた常態）に戻る（図６（ａ）参照）。このようにして可動演出部材６３は、演出部材駆動ソレノイド６４を駆動することにより左右方向、言い換えると演出ユニット駆動モータ４３の駆動力による上下方向の揺動とは異なる方向へ揺動する。
なお、本実施形態では、可動演出装置４０は、駆動力伝達部材４４の可動範囲を可動演出部材６３の回動軸７５周りの回動範囲よりも広く設定し、演出ユニット駆動モータ４３の駆動力による可動演出部材６３の上下方向の揺動が演出部材駆動ソレノイド６４の駆動力による可動演出部材６３の左右方向の揺動よりも大きく見えるように構成されている。
【００３０】
そして、可動演出装置４０は、表示部３１の装飾演出画像に合わせて可動演出ユニット４２および可動演出部材６３の揺動態様を異ならせて遊技演出を行うように設定される。例えば、表示部３１の右側にキャラクター等の装飾演出画像を表示した場合には、右側の演出ユニット駆動モータ４３あるいは演出部材駆動ソレノイド６４を駆動して可動演出部材６３を上下あるいは左右に揺動し、表示部３１の左側にキャラクター等の装飾演出画像を表示した場合には、左側の演出ユニット駆動モータ４３あるいは演出部材駆動ソレノイド６４を駆動して左側の可動演出部材６３を上下あるいは左右に揺動する。また、表示部３１に普図変動表示ゲームの「当たり」に対応する装飾演出画像が表示された場合には、演出ユニット駆動モータ４３を駆動して可動演出ユニット４２を上下方向に揺動し、特図変動表示ゲームの「大当たり」に対応する装飾演出画像が表示された場合には、演出ユニット駆動モータ４３および演出部材駆動ソレノイド６４を駆動して、可動演出ユニット４２を上下方向に揺動しながら可動演出部材６３を左右方向へ揺動する。
【００３１】
このように、本実施形態の可動演出装置４０は、可動演出ユニット４２（すなわち可動演出部材６３）を上下方向へ揺動可能な演出ユニット駆動モータ４３を取付ベース部材４１に設け、可動演出部材６３を左右方向へ揺動可能な演出部材駆動ソレノイド６４を可動演出ユニット４２に設けたので、変動表示装置５の表示部３１を大型化したとしても、支障なく複数の電気的駆動源を取り付けることができる。したがって、表示部３１における様々な表示内容に合わせて、複数の電気的駆動源により可動演出部材６３を複雑に動かすことができる。このことから、遊技の演出効果を高めることができ、遊技の興趣の向上を図ることができる。また、電気的駆動源の配置の自由度を増すことができ、限られたパチンコ遊技機内のスペースを有効利用することができる。
【００３２】
そして、可動演出ユニット４２の姿勢を規制する駆動補助部材４５を備えたことで、可動演出ユニット４２の一部、例えば、可動演出部材６３の前面部を遊技者に向けた状態を維持しながら可動演出ユニット４２を揺動させようとすることができ、遊技の演出効果が低減する不都合を抑えることができる。また、別個に電気的駆動源を設ける必要がなく、簡単な構成で可動演出ユニット４２の姿勢を規制できる可動演出装置４０を実現することができる。
【００３３】
さらに、可動演出ユニット４２は、可動演出部材６３の裏側を凹ませて収納空間部７３を形成し、該収納空間部７３に駆動ベース部材６２および演出部材駆動ソレノイド６４を収納したので、駆動ベース部材６２および演出部材駆動ソレノイド６４を遊技者から見えないように隠すことができ、可動演出装置４０の装飾性が損なわれる不具合を抑えることができる。また、変動表示装置５内の限られた空間を有効利用することができ、変動表示装置５の設計の自由度を増すことができる。
【００３４】
なお、図８に示すように、左右両側の可動演出ユニット４２の間に人の手を模した形状の補助可動演出部材８０を備えてもよい。この補助可動演出部材８０は、取付ベース部材４１から前方へ延設された腕状の突出部８１の先端に回動自在な状態で軸着され、可動演出部材６３の近傍に配置されている。また、補助可動演出部材８０の側部（左側部）には、親指の形状を模した係合部８２を側方（左側方）の可動演出部材６３へ向けて延設している（図８（ａ）参照）。そして、揺動している可動演出部材６３が係合部８２に係合すると、補助可動演出部材８０が回動して姿勢を変換できるように構成されている（図８（ｂ）参照）。したがって、可動演出装置４０は、可動演出部材６３の動きに合わせて補助可動演出部材８０による装飾演出を行うことができ、遊技の演出効果を一層高めることができる。これにより、遊技の興趣を一層向上させることができる。また、補助可動演出部材８０を駆動するための電気的駆動源を設ける必要がなく、可動演出装置４０の構造が複雑になることを抑えることができ、製造コストが嵩張る不都合を抑制することができる。
【００３５】
上記実施形態では、駆動ベース部材６２に演出部材駆動ソレノイド６４を設けたが、本発明はこれに限定されない。すなわち、可動演出部材６３の演出部材基部７４の裏面に演出部材駆動ソレノイド６４を備え、駆動ベース部材６２の前面から係合軸７７を突設し、該係合軸７７を演出部材駆動ソレノイド６４により動かすことにより可動演出部材６３を左右方向へ揺動するように構成してもよい。
【００３６】
さらに、上記実施形態では、可動演出装置４０に２つの可動演出ユニット４２を設けたが、本発明はこれに限定されず、可動演出ユニット４２を１つだけ設けてもよいし、３つ以上設けてもよい。また、可動演出部材６３の揺動方向は、上下および左右に限定されず、斜め方向や前後方向であってもよい。このように可動演出ユニット４２の数や可動演出部材６３の揺動方向を限定しないことにより、遊技機のデザインテーマに合わせて可動演出装置４０の構成や遊技演出の内容を設定し易くすることができて好適である。
【００３７】
また、上下揺動のための駆動源としてモータを採用し、左右揺動のための駆動源としてソレノイドを採用したが、本発明はこれに限定されない。例えば、上下揺動のための駆動源としてソレノイドを採用してもよいし、左右揺動のための駆動源としてモータを採用してもよい。要は、可動演出ユニット４２および可動演出部材６３を動かすために十分な駆動力を出力できる駆動源であれば、どのような駆動源でもよい。
【００３８】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３９】
【図１】遊技盤の正面図である。
【図２】変動表示装置の斜視図である。
【図３】可動演出装置の斜視図である。
【図４】可動演出装置の側面図である。
【図５】可動演出ユニットの後方から見た斜視図である。
【図６】可動演出ユニットの内部を示す説明図であり、（ａ）は演出部材駆動ソレノイドを消磁した状態の説明図、（ｂ）は演出部材駆動ソレノイドを励磁した状態の説明図である。
【図７】可動演出ユニットの上下方向の揺動状態を示す説明図であり、（ａ）は上方へ揺動した状態図、（ｂ）は下方へ揺動した状態図である。
【図８】補助可動演出部材を備えた可動演出装置の概略図であり、（ａ）は補助可動演出部材の回動していない状態の概略図、（ｂ）は補助可動演出部材が回動中である状態の概略図である。
【符号の説明】
【００４０】
１  遊技盤
４  遊技領域
５  変動表示装置
６  始動入賞口
２３  表示装置本体
２４  前面構成部材
２６  包囲枠
２７  取付基部
３０  表示開口部
３１  表示部
３３  ステージ
３４  ワープ流路
３５  装飾ランプ
４０  可動演出装置
４１  取付ベース部材
４２  可動演出ユニット
４３  演出ユニット駆動モータ（第１電気的駆動源）
４４  駆動力伝達部材
４５  駆動補助部材
５２  下側軸着部
５３  伝達ギア
５５  駆動ギア
５６  上側軸着部
６２  駆動ベース部材
６３  可動演出部材
６４  演出部材駆動ソレノイド（第２電気的駆動源）
６７  伝達部材軸着部
６８  補助部材軸着部
７０  係合部材
７３  収納空間部
７４  演出部材基部
７５  回動軸
７７  係合軸
８０  補助可動演出部材
８１  突出部
８２  係合部
【図１】
2006314658.tif 000003
【図２】
2006314658.tif 000004
【図３】
2006314658.tif 000005
【図４】
2006314658.tif 000006
【図５】
2006314658.tif 000007
【図６】
2006314658.tif 000008
【図７】
2006314658.tif 000009
【図８】
2006314658.tif 000010